(57)【要約】【課題】昇降台を使用する際の作業者の負担を小さくする。【解決手段】脚部２０は、上側の作業台１０と下部接続部材３０の間で２本ずつが交差するように設けられた６本の支持脚２１〜２６で構成されている。脚部２０は、脚部軸２７を中心とした回動によって上下方向に開閉動作する。作業台１０の下面には、モーター４０と、この電源となるバッテリ５０が取り付けられている。脚部２０の伸縮（開閉）動作は、このモーター４０によって行われる。【選択図】図１
2014195848.tif 000002
【特許請求の範囲】
【請求項１】
作業台の下部に、上下方向における伸縮動作が可能である脚部が取り付けられた構成を具備する昇降台であって、
前記脚部の伸縮動作を行わせるモーターと、
当該モーターの電源となる電動工具用バッテリと、
を具備することを特徴とする昇降台。
【請求項２】
前記脚部の伸縮動作は、水平方向に延伸し前記作業台の下部に設けられた駆動軸を前記モーターが回転させることによって行われ、
前記モーターの回転軸は前記作業台の上面に対して傾斜していることを特徴とする請求項１に記載の昇降台。
【請求項３】
前記電動工具用バッテリを、前記作業台の上面よりも下側に具備することを特徴とする請求項１又は２に記載の昇降台。
【請求項４】
前記モーターの動作を規定するスイッチを具備する操作部が、前記作業台に設けられたことを特徴とする請求項１から請求項３までのいずれか１項に記載の昇降台。
【請求項５】
前記電動工具用バッテリは、前記作業台に固定されたことを特徴とする請求項１から請求項４までのいずれか１項に記載の昇降台。
【請求項６】
前記作業台の上面を構成する一部であるバッテリ取付板が、前記作業台の上面から上側に取り外される構成とされ、前記バッテリ取付板の下面に前記電動工具用バッテリが装着される構成とされたことを特徴とする請求項５に記載の昇降台。
【請求項７】
前記脚部の下部に下部接続部材が取り付けられ、前記脚部の伸縮動作の際に前記作業台の上面と前記下部接続部材の下面とが略平行である状態が維持される構成とされたことを特徴とする請求項１から請求項６までのいずれか１項に記載の昇降台。
【請求項８】
前記モーターの動作を規定するスイッチを具備する操作部が、前記下部接続部材に設けられたことを特徴とする請求項７に記載の昇降台。
【請求項９】
前記モーターは前記作業台、前記下部接続部材のうちの一方に固定され、前記電動工具用バッテリは、前記作業台、前記下部接続部材のうちの他方に固定されたことを特徴とする請求項７又は８に記載の昇降台。
【請求項１０】
前記電動工具用バッテリは、前記下部接続部材に固定されたことを特徴とする請求項７から請求項９までのいずれか１項に記載の昇降台。
【請求項１１】
前記モーター及び前記電動工具用バッテリは、共に前記作業台、前記下部接続部材のうちの一方に搭載されたことを特徴とする請求項７から請求項１０までのいずれか１項に記載の昇降台。
【請求項１２】
前記脚部が上下方向において最も圧縮された際に、前記作業台の上面と前記下部接続部材の下面の間に前記電動工具用バッテリが位置する構成とされたことを特徴とする請求項７から請求項１１までのいずれか１項に記載の昇降台。
【請求項１３】
前記脚部が上下方向において最も圧縮された際に、前記作業台から前記電動工具用バッテリの下面よりも下側かつ前記下部接続部材の下面よりも上側まで延伸するバッテリ保護部材が、平面視における前記電動工具用バッテリの周囲に形成されたことを特徴とする請求項１２に記載の昇降台。
【発明の詳細な説明】
【技術分野】
【０００１】
本発明は、電動で折り畳み動作が行われる電動昇降台の構造に関する。
【背景技術】
【０００２】
作業者が作業の際に使用する踏み台或いは作業台としては、使用しない場合には折り畳まれて上下方向に薄く持ち運びが容易な状態とされ、使用する際には上下方向に広がり踏み台或いは作業台の形態となる昇降台が広く用いられている。こうした昇降台は、例えば、上下方向に伸縮が可能な脚部が平板状の作業台の下部に取り付けられて構成されている。使用される際には、上下方向に伸張した状態の脚部が地上に設置する形態とされ、作業台の上面を用いて作業者が各種の作業を行うことができる。
【０００３】
このような昇降台においては、脚部の伸縮動作（昇降動作）を作業者が容易に行えることが要求されると共に、脚部が上下方向に伸張した状態（使用される状態）における耐荷重を高くすることも必要である。このため、脚部の伸縮動作をネジによって行い、作業者がネジを回転させることによってこの伸縮動作が行われる手動式の昇降台が広く用いられている。作業者がこの脚部を伸張した状態においては、力が加わっても脚部が容易に圧縮されることがないような構成とされる。このため、例えばネジによる動作の際の減速比は大きく設定される。この場合、昇降動作に要する時間が長くなり、作業者の負担が大きくなった。このため、この昇降動作を電動で行わせる電動昇降台も用いられている。
【０００４】
特許文献１には、回動レバー体を用いて、モーターでこの昇降動作を円滑に行う電動昇降台が記載されている。この構成により、昇降動作が容易でかつ耐荷重も大きな昇降台を得ることができる。
【先行技術文献】
【特許文献】
【０００５】
【特許文献１】特開平９−１２３０７４号公報
【発明の概要】
【発明が解決しようとする課題】
【０００６】
しかしながら、こうした電動昇降台においては、一般には商用のＡＣ１００Ｖがその電源として使用される。このため、この電源の供給が可能な場所においては大きな問題はないものの、例えば屋外の使用時においては、電源の供給が困難であって上記の昇降動作を行わせることが困難である場合があった。このため、電源が確保できない場所でこの電動昇降台を使用するためには、折り畳まれた状態の電動昇降台を電源が確保できる場所まで持ち運び、この場所で脚部を伸張させる動作を行ってから、使用すべき場所までこの状態で電動昇降台を持ち運ぶ必要があった。
【０００７】
すなわち、上記の電動昇降台においては、昇降動作を行うことのできる場所が限定されるため、昇降台を使用する際の作業者の負担は大きくなった。
【０００８】
本発明は、かかる問題点に鑑みてなされたものであり、上記の問題点を解決する発明を提供することを目的とする。
【課題を解決するための手段】
【０００９】
本発明は、上記課題を解決すべく、以下に掲げる構成とした。
本発明の昇降台は、作業台の下部に、上下方向における伸縮動作が可能である脚部が取り付けられた構成を具備する昇降台であって、前記脚部の伸縮動作を行わせるモーターと、当該モーターの電源となる電動工具用バッテリと、を具備することを特徴とする。
本発明の昇降台において、前記脚部の伸縮動作は、水平方向に延伸し前記作業台の下部に設けられた駆動軸を前記モーターが回転させることによって行われ、前記モーターの回転軸は前記作業台の上面に対して傾斜していることを特徴とする。
本発明の昇降台は、前記電動工具用バッテリを、前記作業台の上面よりも下側に具備することを特徴とする。
本発明の昇降台は、前記モーターの動作を規定するスイッチを具備する操作部が、前記作業台に設けられたことを特徴とする。
本発明の昇降台において、前記電動工具用バッテリは、前記作業台に固定されたことを特徴とする。
本発明の昇降台は、前記作業台の上面を構成する一部であるバッテリ取付板が、前記作業台の上面から上側に取り外される構成とされ、前記バッテリ取付板の下面に前記電動工具用バッテリが装着される構成とされたことを特徴とする。
本発明の昇降台は、前記脚部の下部に下部接続部材が取り付けられ、前記脚部の伸縮動作の際に前記作業台の上面と前記下部接続部材の下面とが略平行である状態が維持される構成とされたことを特徴とする。
本発明の昇降台は、前記モーターの動作を規定するスイッチを具備する操作部が、前記下部接続部材に設けられたことを特徴とする。
本発明の昇降台において、前記モーターは前記作業台、前記下部接続部材のうちの一方に固定され、前記電動工具用バッテリは、前記作業台、前記下部接続部材のうちの他方に固定されたことを特徴とする。
本発明の昇降台において、前記電動工具用バッテリは、前記下部接続部材に固定されたことを特徴とする。
本発明の昇降台において、前記モーター及び前記電動工具用バッテリは、共に前記作業台、前記下部接続部材のうちの一方に搭載されたことを特徴とする。
本発明の昇降台は、前記脚部が上下方向において最も圧縮された際に、前記作業台の上面と前記下部接続部材の下面の間に前記電動工具用バッテリが位置する構成とされたことを特徴とする。
本発明の昇降台は、前記脚部が上下方向において最も圧縮された際に、前記作業台から前記電動工具用バッテリの下面よりも下側かつ前記下部接続部材の下面よりも上側まで延伸するバッテリ保護部材が、平面視における前記電動工具用バッテリの周囲に形成されたことを特徴とする。
【発明の効果】
【００１０】
本発明は以上のように構成されているので、昇降台を使用する際の作業者の負担を小さくすることができる。
【図面の簡単な説明】
【００１１】
【図１】本発明の実施の形態となる昇降台が使用される際の状態を示す側面図である。
【図２】本発明の実施の形態となる昇降台が折り畳まれた際の状態を示す側面図である。
【図３】本発明の実施の形態となる昇降台における作業台の下面側の構成を示す図である。
【図４】本発明の実施の形態となる昇降台の折り畳み時のＡ−Ａ方向の断面（ａ）、Ｂ−Ｂ方向の断面（ｂ）である。
【図５】本発明の実施の形態となる昇降台における、バッテリの脱着の際の形態を示す側面図である。
【図６】本発明の実施の形態となる昇降台の第１の変形例の側面図である。
【図７】本発明の実施の形態となる昇降台の第２の変形例の側面図である。
【図８】本発明の実施の形態となる昇降台の第３の変形例の側面図である。
【図９】本発明の実施の形態となる昇降台の第４の変形例において、内側から側面を見た図である。
【図１０】本発明の実施の形態となる昇降台の第４の変形例において、外側から側面を見た図である。
【発明を実施するための形態】
【００１２】
本発明の実施の形態となる電動昇降台の構成について説明する。この電動昇降台においては、平板状の作業台の下部に、上下方向に伸張が可能な折り畳み式の脚部が設けられる。昇降動作は脚部の伸張動作によって行われるが、この伸張動作は、モーターを動力として行われる。更に、このモーターを駆動する電源としては、バッテリ（蓄電池）が用いられる。このため、この電動昇降台は、モーターとバッテリとを内蔵する。なお、バッテリとしては、インパクトドライバやドライバドリル等の電動工具の電源として用いられる電動工具用バッテリが望ましい。作業者は、電動工具の電源となるバッテリ（バッテリパック）を多数準備して作業を行うことが多い。そのため、多数準備されたバッテリのうちの一つを昇降台の電源として利用できるため、別のバッテリを準備する手間を省くことができ、作業性を向上することができる。昇降台は所望の高さに設定する、或いは作業後に元の状態に戻すこと以外は殆ど調整することはないため、昇降台で使用したバッテリを電動工具に使用しても十分な電力を得ることができる。
【００１３】
図１は、この電動昇降台（昇降台）１が使用される際の状態を示す側面図であり、作業台１０の下部に取り付けられた脚部２０が上下方向に伸張した（開いた）状態を示す。図２は、この昇降台１が折り畳まれた状態（脚部２０が上下方向に閉じた状態）を示す側面図である。これらの図は同一方向から見た側面図を示している。
【００１４】
作業台１０の表面は平面であり、少なくとも使用される際の状態（図１）においては、この表面は水平となるように設定される。脚部２０は、上側の作業台１０と下部接続部材３０の間で２本ずつが交差するように設けられた６本の支持脚２１〜２６で構成されている。図１における支持脚２１〜２６の上端側は作業台１０側、下端側は下部接続部材３０側に取り付けられており、図１、２においては互いに交差する支持脚２１、２２のみが示されている。支持脚２１、２２は、図１においてこれらが交差する部分で共通の脚部軸２７に回動自在の状態で取り付けられており、図示されない支持脚２３、２４、支持脚２５、２６も支持脚２１、２２と同様の構成とされる。このため、脚部２０は、脚部軸２７を中心とした回動によって上下方向に開閉動作する。図１は、脚部２０が上下方向に開いた状態を示し、図２は、脚部２０が上下方向に閉じた状態を示している。
【００１５】
図１において、支持脚２１の上端部は、紙面と垂直方向に延伸する上部連結部側軸１１に回転自在の状態で接続され、この上部連結部側軸１１が、作業台１０の左側端部近くの上部連結部１２に取り付けられる。同様に、支持脚２２の下端部は、紙面と垂直方向に延伸する下部連結部側軸３１に回転自在の状態で接続され、この下部連結部側軸３１が下部接続部材３０の左側端部近くの下部連結部３２に取り付けられる。
【００１６】
一方、図１において、支持脚２１の下端部は、紙面と垂直方向に延伸する下部ガイド部側軸３３に回転自在の状態で接続され、この下部ガイド部側軸３３が、下部接続部材３０の右側端部近くに設けられた左右方向に細長い開口部である下部ガイド部３４に、左右方向に摺動が可能な状態で取り付けられる。同様に、支持脚２２の上端部も、紙面と垂直方向に延伸する上部ガイド部側軸１３に回転自在の状態で接続され、この上部ガイド部側軸１３が、作業台１０の右側端部近くに設けられた左右方向に細長い開口部である上部ガイド部１４に、左右方向に摺動が可能な状態で取り付けられる。図１では、支持脚２１の下端部（下部ガイド部側軸３３）及び支持脚２２の上端部（上部ガイド部側軸１３）は、それぞれ左右方向に細長い下部ガイド部３４、上部ガイド部１４の左端に位置している。この状態は、脚部２０が上下方向に開いた状態に対応している。このため、作業台１０の下面と下部接続部材３０とが上下方向で離間した状態となり、この状態は、この昇降台１が使用される際の状態に対応する。
【００１７】
上記の構成において、支持脚２１の下端部及び支持脚２２の上端部を、それぞれ下部ガイド部３４、上部ガイド部１４の右端に移動させることによって、図２のように脚部２０を閉じ、作業台１０の下面側と下部接続部材３０の上面を接触させた状態とすることができる。この際、上記の構成の脚部２０が用いられるため、作業台１０の上面と下部接続部材３０の下面が略平行となる状態が維持される。これにより、この昇降台１を折り畳んだ状態とすることができる。ただし、上記の通り支持脚２１、２２は、共通の脚部軸２７に取り付けられているため、この脚部軸２７の回りの支持脚２１、２２の回動角度は常に等しくなる。このため、実際には支持脚２１の下端部、支持脚２２の上端部のうちの一方のみに力を加えることで脚部２０の開閉動作を行わせることができる。
【００１８】
このため、ここでは、図１、２における左右方向に支持脚２２の上端部を移動させるように力が加わる構成とされる。図３は、このための構成を示す図であり、図１の下側（下部接続部材３０側）から上側（作業台１０側）を見た作業台１０の下面側の構成を示す図である。ただし、図３では脚部２０は閉じた状態（図２の状態）とされている。ここで、脚部２０（支持脚２１〜２６）は、作業台１０近傍の部分のみについて示されている。
【００１９】
図３に示されるように、左側において、支持脚２３、２５の上端部は、支持脚２１と同様に、回転自在の状態で上部連結部側軸１１に接続され、上部連結部側軸１１が上部連結部１２に取り付けられている。同様に、右側において、支持脚２４、２６の上端部は、支持脚２２と同様に、回転自在の状態で上部ガイド部側軸１３に接続され、上部ガイド部側軸１３が上部ガイド部１４に取り付けられている。この構成によって、支持脚２１、２３、２５は上部連結部１２の回りで回動自在で取り付けられ、支持脚２２、２４、２６の上端部は上部ガイド部１４に沿って移動することができる。  
【００２０】
なお、図示は省略するが、下部接続部材３０側における支持脚２１〜２６、下部連結部側軸３１、下部連結部３２、下部ガイド部側軸３３、下部ガイド部３４の関係は、作業台３０側における支持脚２１〜２６、上部連結部側軸１１、上部連結部１２、上部ガイド部側軸１３、上部ガイド部１４の関係と同様である。
【００２１】
一方、作業台１０の下面には、モーター４０と、この電源となるバッテリ（電動工具用バッテリ）５０が取り付けられている。脚部２０の伸縮（開閉）動作は、このモーター４０によって行われる。このため、モーター４０の回転運動は、モーター４０の回転軸に固定されたモーターギヤ４１と、モーターギヤ４１と噛合し駆動軸６０に固定されたベベルギヤ６１を介して、駆動軸６０に伝達される。図３における駆動軸６０の右側部分は雄ネジ加工された駆動軸ネジ部６２となっている。この駆動軸ネジ部６２は、上部ガイド部側軸１３に形成された貫通孔を右側に向かって貫通し、この貫通孔の内面に形成された雌ネジ部１３１と駆動軸ネジ部６２とが噛合する。このため、駆動軸６０の回転運動によって、上部ガイド部側軸１３及びこれに接続された支持脚２２、２４、２６の上端部を左右方向に移動させることができる。一方、駆動軸６０の左側は上部連結部側軸１１を貫通するが、こちら側にはネジ加工が施されておらず、駆動軸６０に対する上部連結部側軸１１の回転あるいは左右方向の移動は自在となっている。なお、駆動軸６０が上部ガイド部側軸１３及び上部連結部側軸１１の貫通孔を貫通しない構成とし、これら軸に対して上下方向にずれた位置に駆動軸６０と噛合う噛合い部を設けてもよい。
【００２２】
このため、例えばモーター４０を用いて駆動軸６０を図３中の矢印で示された方向（左側から見て時計回り）に回転させた場合に、上部ガイド部側軸１３及び支持脚２２、２４、２６の上端部を左方向に移動させ、脚部２０を開いた状態とすることができる。モーター４０をこの場合と逆回転させた場合には、脚部２０を開いた状態から閉じた状態にすることができる。
【００２３】
モーター４０の動作は、制御回路５１で制御され、モーター４０の動作のオン・オフ等の制御を行うためのスイッチが設けられた操作部（図示せず）は、例えば作業台１０の側面等に設置することができる。すなわち、操作部を作業台１０の上面より下方に設置すれば、作業台１０に被加工材等を置いた際にも、操作部が不意に操作されたり隠れたりすることを防止することができる。
【００２４】
上記の構成において、作業台１０の下面側に取り付けられたモーター４０、バッテリ５０は、脚部２０が閉じた状態とした場合（図２の状態）において、下部接続部材３０、脚部２０と干渉しない場所に配置される。あるいは、下部接続部材３０のこの状態におけるモーター４０、バッテリ５０に対応した箇所は、モーター４０、バッテリ５０と干渉しないような形状とされる。また、この昇降台１を折り畳んだ状態（図２）においては、その持ち運びを容易とするために、全体が薄くなることが好ましい。このため、この昇降台１におけるモーター４０、バッテリ５０等の配置は、以下の通りとされる。
【００２５】
ここで、制御回路５１は薄いプリント基板等で構成されるためにその厚さ（高さ）は、この昇降台１が折り畳まれた状態の厚さ（高さ）と比べて無視できる。一方で、モーター４０、バッテリ５０の高さは無視できない。更に、モーター４０は、作業台１０の下面に設置された駆動軸６０に固定されたベベルギヤ６１とモーター４０のモーターギヤ４１とが噛合し、駆動軸６０を回転させることができるように配置する必要がある。
【００２６】
図４（ａ）は、図３におけるＡ−Ａ方向の断面、図４（ｂ）はＢ−Ｂ方向の断面を示す。モーター４０は、中心軸がその回転軸と一致した円筒形状とされている。ここで、図４（ａ）に示されるように、作業台１０の上面を構成する面（水平方向）に対して、モーターギヤ４１が上側になるようにモーター４０の回転軸（モーター４０の中心軸）が傾斜した角度で設置される。これによって、ベベルギヤ６１とモーターギヤ４１とを噛合させた状態でモーター４０全体の占める高さを抑制することができる。モーター４０の回転軸を水平方向とした場合（傾斜角を設けない場合）には、駆動軸６０をモーター４０の回転軸と同じ高さに設けることが必要となるために、駆動軸６０を作業台１０の上面近くに設置することが困難であり、この昇降台１が折り畳まれた状態における全体の高さを抑制することが困難である。一方、モーター４０の回転軸を鉛直方向とした場合には、ベベルギヤ６１（駆動軸６０）の下側にモーター４０を設けることが必要になるため、やはり昇降台１が折り畳まれた状態における全体の高さを抑制することが困難である。このため、図４（ａ）に示されるように、モーター４０の作業台１０側の頂部であるモーター頂部４０ａを、ベベルギヤ６１の作業台１０側の頂部であるベベルギヤ頂部６１ａと略等しい高さとするようにモーター４０を傾斜させる、或いは、モーター４０をこれと逆向きに傾斜させてモーター頂部４０ａをベベルギヤ頂部６１ａに対して作業台１０と反対側に位置させることで、モーター４０で定まる全体の高さを抑制することができる。従って、作業台１０の上面に対してモーター４０を傾斜させて配置させており、上記の傾斜角度は、０〜４５°の範囲であることが好ましい。
【００２７】
また、バッテリ５０は作業台１０の下面側に取り付けられているために、図１のように脚部２０が開いた状態では、バッテリ５０の周囲には広い空間が形成される。しかしながら、図２、４（ｂ）のように、脚部２０が閉じた状態では、バッテリ５０の周囲の隙間は狭くなり、例えばこの状態で昇降台１を地面に載置した場合には、特にバッテリ５０の下面と地面との間は近接する。こうした状況においてバッテリ５０を保護するために、図４（ｂ）において点線で示されるような、昇降台１が折り畳まれた状態において作業台１０の下面側から下部接続部材３０の下面よりも上（昇降台１の最下部付近）まで延伸したバッテリ保護部材５１を、バッテリ５０の周囲に設けることが有効である。
【００２８】
また、使用前、特にバッテリ５０の残量がなくなった場合には、上記の昇降台１とは別体の充電器を用いてバッテリ５０を充電することが必要である。このため、この昇降台１（作業台１０）からのバッテリ５０の脱着が容易であることが必要である。図５は、このバッテリ５０の脱着の際の形態を示す側面図である。ここでは、昇降台１が折り畳まれた状態としている。バッテリ５０は、その上面が作業台１０の上面の一部となるバッテリ取付板１５の下面に取り付けられる。バッテリ取付板１５は、作業台１０の表面近くに設けられたバッテリ取付板回動軸１６を軸として上側に回動する構成とされ、図５に示されるように、バッテリ取付板１５を作業台１０の上面から取り外した状態としてから、バッテリ取付板１５の下面にバッテリ５０を取り付けることができる。バッテリ５０の端子に接続される電源ケーブル（図示せず）は、バッテリ取付板１５の下面に設けた端子（図示せず）を介して、あるいはバッテリ５０に直接接続して設けることができる。
【００２９】
図５においては、昇降台１が折り畳まれた状態（脚部２０が閉じた状態）においてバッテリ５０を着脱する際の状態を示しているが、脚部２０が開いた状態においても、バッテリ取付板１５を上側に回動させ、バッテリ５０の着脱作業を行うことができることは明らかである。前記の通り、モーター４０はバッテリ５０を電源として駆動されるが、駆動中にバッテリ５０の残量がなくなり、脚部２０がその開閉動作の途中で停止する場合がある。こうした場合においても、上記の構成によれば、バッテリ５０を作業台１０の上面側から脱着することができるため、脚部２０の状態によらずにバッテリ５０を着脱する作業を容易に行うことができる。
【００３０】
上記の構成においては、モーター４０、バッテリ５０を共に作業台１０の下面側に設置していた。モーター４０とバッテリ５０を昇降台１における上側部材（作業台１０）又は下側部材（下部接続部材３０）の一方側に設けたことにより、モーター４０とバッテリ５０との設置距離を短くすることができるため、それらを接続するケーブル等の這い回しを容易にすることができる。しかしながら、これらは、作業台１０、下部接続部材３０に適宜設置することができる。
【００３１】
図６は、モーター４０、バッテリ５０を共に下部接続部材３０側に近接して設置した構成（第１の変形例）を、図１に対応して示す側面図である。ここでは、更に操作部４２が下部接続部材３０の側面（紙面手前側）に設けられている。また、バッテリ５０とモーター４０とは短い電源ケーブル５２で接続されている。モーター４０が下部接続部材３０側に設置されているため、駆動軸６０等も下部接続部材３０側に設けられており、駆動軸ネジ部６２の回転によって下部ガイド部側軸３３が図中左右に移動することによって、脚部２０の開閉動作が行われる。この構成は、図１の構成を上下逆転させた場合に相当する。
【００３２】
ここで、作業台１０は実際に作業者が作業を行う際に直接用いられ、例えばこの昇降台が踏み台として使用される場合には、作業者がこの上に直接乗ることができるように作業台１０の形状は設定される。これに対して、下部接続部材３０は、上記の折り畳み動作が円滑に行われ、脚部２０等を補強するために使用されるため、その形状の自由度は高い。このため、モーター４０、バッテリ５０を下部接続部材３０の上面側に搭載することは特に容易である。また、この場合には、昇降台１の下側に重量物が集中するために、使用する際の重量バランスが良好となる。下部接続部材３０の下面側において図５と同様の構成を用いて、バッテリ５０の脱着を容易にすることができることも明らかである。例えば、図６においては、バッテリ５０をバッテリ取付部５３に対して左右方向にスライドさせることで脱着できるようにすれば良い。
【００３３】
なお、操作部４２はスイッチのみで構成されるため、操作部４２全体を小さくすることができる。このため、操作部４２を作業台１０や下部接続部材３０等と別体としても、昇降台１の使用時、あるいは折り畳み時において問題はない。図７は、この場合（第２の変形例）の側面図を示し、操作部４２を自由に移動できる構成とされている。なお、操作部４２に接続されている線は制御回路５１に接続されている。操作部４２以外についての構成は図６と同様である。また、図８（第３の変形例）に示すように、下部接続部材３０から上方に延伸する操作台４３を設け、操作台４３に操作部４２を設けても良い。この場合、操作台４３も伸縮可能に構成すれば、折り畳み状態において操作台４３が邪魔になることはない。
【００３４】
また、モーター４０とバッテリ５０を、それぞれ上下の異なる側に設置することもできる。図９は、モーター４０を作業台１０側、バッテリ５０を下部接続部材３０側に設置した例（第４の変形例）において、その内側から側面を見た図であり、図１０はその側面を外側から見た図である。この構成においては、作業台１０側にモーター４０、駆動軸６０が設置された点については、図３の構成と同様であるが、バッテリ５０はモーター４０と離間して下部接続部材３０に搭載されている。このため、これらを接続するために作業台１０と下部接続部材３０の間に長い電源ケーブル５２が設けられている。電源ケーブルは屈曲自在とすることが容易であるため、こうした構成を容易に実現することができ、昇降台の折り畳み動作も容易に行われる。なお、電源ケーブル５２を脚部２０内に設けることも可能である。
【００３５】
このような構成においては、大きな構成要素であるモーター４０とバッテリ５０がそれぞれ作業台１０、下部接続部材３０の一方にしか設けられないために、作業台１０の下面側、下部接続部材３０の上面側のレイアウトが容易となる。ただし、折り畳み時にモータ４０とバッテリ５０が干渉しないように、これらは平面視における異なる位置に設置することが必要である。
【００３６】
第１〜４の変形例以外にも、作業台、下部接続部材におけるモーター及び駆動軸、バッテリ、操作部の配置は、同様の機能が実現できる限りにおいて、適宜設定することができる。この際、作業台の上面よりも下側にバッテリを設置することにより、作業台を用いた作業が容易となる。
【００３７】
また、上記の構成において、上記の作業台を上下対称とした形態の下部接続部材を用いることもできる。この場合には、この昇降台を上下逆にして用いることもできる。あるいは、脚部のみを用いてこの昇降台を地面の上に設置することができ、かつ全体の機械的強度を保てる場合には、下部接続部材は不要であり、これに接続される下部連結部側軸、下部ガイド部側軸も不要である。この場合には、モーター、バッテリを共に作業台に取り付けた場合において折り畳み時にモーター、バッテリと干渉しうるのは脚部だけとなるため、モーター、バッテリの配置の自由度が高まる。
【符号の説明】
【００３８】
１  電動昇降台（昇降台）
１０  作業台
１１  上部連結部側軸
１２  上部連結部
１３  上部ガイド部側軸
１４  上部ガイド部
１５  バッテリ取付板
１６  バッテリ取付板回動軸
２０  脚部
２１〜２６  支持脚
２７  脚部軸
３０  下部接続部材
３１  下部連結部側軸
３２  下部連結部
３３  下部ガイド部側軸
３４  下部ガイド部
４０  モーター
４０ａ  モーター頂部
４１  モーターギヤ
４２  操作部
４３  操作台
５０  バッテリ（電動工具用バッテリ）
５１  制御回路  
５２  バッテリ保護部材
５３  電源ケーブル
５４  バッテリ取付部
６０  駆動軸
６１  ベベルギヤ
６１ａ  ベベルギヤ頂部
６２  駆動軸ネジ部
１３１  雌ネジ部
【図１】
2014195848.tif 000003
【図２】
2014195848.tif 000004
【図３】
2014195848.tif 000005
【図４】
2014195848.tif 000006
【図５】
2014195848.tif 000007
【図６】
2014195848.tif 000008
【図７】
2014195848.tif 000009
【図８】
2014195848.tif 000010
【図９】
2014195848.tif 000011
【図１０】
2014195848.tif 000012